(57)【要約】【課題】例えば教師端末からの出題に対し、何れの生徒端末からの回答が早かったかを正確に判断することが可能になる通信システムを提供する。【解決手段】教師端末１４からの出題に対する各生徒端末１３ａ，１３ｂ，…からのＩＤデータおよび回答データを変換した可視光の発光信号（上り信号）Ｌａ，Ｌｂ，…による点滅状態を、撮像装置１５により連続的に撮像すると共に、この連続撮像された画像t0,t1,t2,…それぞれにおける各生徒用座席１１ａ，１１ｂ，…に対応した撮像範囲Ｅの撮像位置（ｘ１，ｙ１）（ｘ２，ｙ２）…に基づき、当該各生徒用座席１１ａ，１１ｂ，…に対応した点滅画像のデータ列を生成して各生徒のＩＤデータおよび回答データ、回答時間情報を解析し、その回答時間順の生徒名と回答とを対応付けた回答先着順表示画面Ｇ４を教師用端末１４に表示できる。【選択図】      図１
2010170216.tif 000002
【特許請求の範囲】
【請求項１】
可視光の発光部を有し、当該発光部から固有のＩＤデータを含めた発光信号を送信する端末と、
この端末が複数存在する範囲を連続して撮像する撮像装置と、
この撮像装置により連続して撮像された画像に基づいて、前記複数の端末の各発光部からの発光信号の撮像状態を解析し、当該撮像画像内での発光信号の撮像位置それぞれにおける発光撮像時間を前記ＩＤデータに対応付けて取得する撮像画像解析手段と、
この撮像画像解析手段により解析された各端末からのＩＤデータに対応する発光撮像時間に応じて、当該各端末から発光信号を送信した早さの順番を出力する端末発光順出力手段と、
を備えたことを特徴とする通信システム。
【請求項２】
前記端末における固有のＩＤデータを含めた発光信号は、当該端末にて出力された学習問題の回答データをも含めた発光信号であり、
前記端末発光順出力手段は、前記各端末から発光信号を送信した早さの順番を回答の早さの順番として出力する、
ことを特徴とする請求項１に記載の通信システム。
【請求項３】
前記各端末から学習問題を出力させる問題出力制御手段を備え、
前記撮像画像解析手段は、前記撮像装置により連続して撮像された画像に基づいて、前記複数の端末の各発光部からの発光信号の撮像状態を解析し、前記学習問題に対する回答データを前記ＩＤデータに対応付けて分析する回答分析手段を有し、
この回答分析手段により分析された前記複数の端末からの回答データの分析結果を当該各端末のＩＤデータに対応付けて出力する分析結果出力手段を備えた、
ことを特徴とする請求項２に記載の通信システム。
【請求項４】
前記撮像装置により撮像される撮像画像内での前記複数の端末からの発光信号の撮像位置の情報と、当該複数の端末が配置される各座席の情報とを予め対応付けて記憶する座標／座席情報記憶手段と、
前記撮像装置により連続して撮像された画像に基づいて、前記複数の端末の各発光部からの発光信号の撮像状態を解析し、前記座標／座席情報記憶手段により予め記憶された各端末発光信号の撮像位置の情報と当該各端末が配置される各座席の情報とに従い、前記発光信号が撮像されたところの座席情報と前記発光信号が撮像されないところの座席情報とを区別して出力する座席確認出力手段と、
を備えたことを特徴とする請求項１ないし請求項３の何れか１項に記載の通信システム。
【請求項５】
前記撮像装置により連続して撮像される撮像時間の間隔は、前記端末により送信される発光信号の単位当たりの発光時間間隔よりも短く設定されることを特徴とする請求項１ないし請求項４の何れか１項に記載の通信システム。
【発明の詳細な説明】
【技術分野】
【０００１】
本発明は、例えば教室における各生徒端末と教師端末との間で通信するための通信システムに関する。
【背景技術】
【０００２】
教室において各生徒が使用する端末を当該各生徒の端末間および教師端末との間でネットワークにより接続し、教育を支援するシステムが種々考えられている（例えば、特許文献１、特許文献２参照。）。
【０００３】
また、このような教育支援システムにおいて、教師端末の画面上に各生徒の座席レイアウトを表示させると共に、当該座席レイアウト上に生徒の出欠状況を表示させて生徒の出欠を管理する機能を持ったシステムも考えられている（例えば、特許文献３参照。）。
【０００４】
そして、前記従来の教育支援システムにおけるネットワークは、何れも有線または無線電波を用いた通信方式により構築されている。
【先行技術文献】
【特許文献】
【０００５】
【特許文献１】特開平１０−２８２８７３号公報
【特許文献２】特開２００４−２４０９８１号公報
【特許文献３】特開２０００−３４７５５７号公報
【発明の概要】
【発明が解決しようとする課題】
【０００６】
従来の教育支援システムは、何れも有線または無線電波を用いた通信方式のネットワークにより構築されているため、予め限られたチャンネルを用いて情報の伝達を行わなければならない。
【０００７】
従って、多数の生徒端末を対象とした情報通信を行う場合、各生徒端末からネットワークに出力される上りの通信信号は時分割制御により受信取得される。このため、例えば教師端末から各生徒端末に出した問題に対する回答を取得する場合に、何れの生徒端末からの回答が一番早かったのかを正確に判断することができない恐れがある。
【０００８】
本発明は、このような課題に鑑みなされたもので、例えば教師端末からの出題に対し、何れの生徒端末からの回答が早かったかを正確に判断することが可能になる通信システムを提供することを目的とする。
【課題を解決するための手段】
【０００９】
請求項１に記載の通信システムは、可視光の発光部を有し、当該発光部から固有のＩＤデータを含めた発光信号を送信する端末と、この端末が複数存在する範囲を連続して撮像する撮像装置と、この撮像装置により連続して撮像された画像に基づいて、前記複数の端末の各発光部からの発光信号の撮像状態を解析し、当該撮像画像内での発光信号の撮像位置それぞれにおける発光撮像時間を前記ＩＤデータに対応付けて取得する撮像画像解析手段と、この撮像画像解析手段により解析された各端末からのＩＤデータに対応する発光撮像時間に応じて、当該各端末から発光信号を送信した早さの順番を出力する端末発光順出力手段と、を備えたことを特徴としている。
【００１０】
請求項２に記載の通信システムは、前記請求項１に記載の通信システムにおいて、前記端末における固有のＩＤデータを含めた発光信号は、当該端末にて出力された学習問題の回答データをも含めた発光信号であり、前記端末発光順出力手段は、前記各端末から発光信号を送信した早さの順番を回答の早さの順番として出力する、ことを特徴としている。
【００１１】
請求項３に記載の通信システムは、前記請求項２に記載の通信システムにおいて、前記各端末から学習問題を出力させる問題出力制御手段を備え、前記撮像画像解析手段は、前記撮像装置により連続して撮像された画像に基づいて、前記複数の端末の各発光部からの発光信号の撮像状態を解析し、前記学習問題に対する回答データを前記ＩＤデータに対応付けて分析する回答分析手段を有し、この回答分析手段により分析された前記複数の端末からの回答データの分析結果を当該各端末のＩＤデータに対応付けて出力する分析結果出力手段を備えた、ことを特徴としている。
【００１２】
請求項４に記載の通信システムは、前記請求項１ないし請求項３の何れか１項に記載の通信システムにおいて、前記撮像装置により撮像される撮像画像内での前記複数の端末からの発光信号の撮像位置の情報と、当該複数の端末が配置される各座席の情報とを予め対応付けて記憶する座標／座席情報記憶手段と、前記撮像装置により連続して撮像された画像に基づいて、前記複数の端末の各発光部からの発光信号の撮像状態を解析し、前記座標／座席情報記憶手段により予め記憶された各端末発光信号の撮像位置の情報と当該各端末が配置される各座席の情報とに従い、前記発光信号が撮像されたところの座席情報と前記発光信号が撮像されないところの座席情報とを区別して出力する座席確認出力手段と、を備えたことを特徴としている。
【００１３】
請求項５に記載の通信システムは、前記請求項１ないし請求項４の何れか１項に記載の通信システムにおいて、前記撮像装置により連続して撮像される撮像時間の間隔は、前記端末により送信される発光信号の単位当たりの発光時間間隔よりも短く設定されることを特徴としている。
【発明の効果】
【００１４】
本発明によれば、例えば教師端末からの出題に対し、何れの生徒端末からの回答が早かったかを正確に判断することが可能になる通信システムを提供できる。
【図面の簡単な説明】
【００１５】
【図１】本発明の実施形態に係る教室通信システムの概略的な構成を示す図であり、同図（Ａ）は教室１０を平面的に見て示す図、同図（Ｂ）は教室１０を右側面から見て示す図。
【図２】前記教室通信システムにおける教室１０の各生徒用座席１１ａ，１１ｂ，…毎に設置される生徒端末１３の外観構成を示す図。
【図３】前記教室通信システムの電子回路の構成を示すブロック図。
【図４】前記教室通信システムの教師用端末１４にて記憶管理される名簿データ１４ｍの内容を示す図。
【図５】前記教室通信システムにおける生徒端末１３ａ，１３ｂからの具体的な発光信号（上り信号）Ｌａ，Ｌｂの出力状態とこれに対応した撮像装置１５での発光信号の撮像状態とを並べて見て示す図。
【図６】前記教室システムにおいて生徒端末１３ａ，１３ｂから出力される発光信号（上り信号）Ｌａ，Ｌｂとしての送信データフォーマットを示す図。
【図７】前記教室通信システムにおける撮像装置１５での各生徒端末１３ａ，１３ｂからの発光信号（上り信号）Ｌａ，Ｌｂの連続撮像に応じた信号解析機能を説明する図であり、同図（Ａ）は各発光信号Ｌａ，Ｌｂの連続撮像状態を示す図、同図（Ｂ）は連続撮像された各画像からの発光信号Ｌａ，Ｌｂの解析状態を示す図。
【図８】前記教室通信システムにおける教師端末１４の処理を示すフローチャート。
【図９】前記教室通信システムにおけるサーバ装置１７のデータ送信処理を示すフローチャート。
【図１０】前記教室通信システムにおける生徒端末１３の処理を示すフローチャート。
【図１１】前記教室通信システムにおけるサーバ装置１７のデータ受信処理を示すフローチャート。
【図１２】前記教室通信システムにおける教師端末１４の出欠確認処理に伴い表示される出欠確認画面Ｇ１を示す図。
【図１３】前記教室通信システムにおける生徒端末１３の出題処理に伴い表示される問題表示画面Ｇ２を示す図。
【図１４】前記教室通信システムにおける教師端末１４の出題処理に伴い表示される回答結果表示画面Ｇ３を示す図。
【図１５】前記教室通信システムにおける教師端末１４の出題処理に伴い切り換えられて表示される回答確認画面Ｇ４を示す図。
【図１６】前記教室通信システムの教師端末１４においてサーバ装置１７から受信されたＩＤデータ毎の回答データおよび回答時間情報に基づき生成される回答先着順リストデータ１４Ｔを示す図。
【図１７】前記教室通信システムの教師端末１４にて生成された回答先着順リストデータ１４Ｔに従い表示される回答先着順表示画面Ｇ４を示す図。
【発明を実施するための形態】
【００１６】
以下図面により本発明の実施の形態について説明する。
【００１７】
図１は、本発明の実施形態に係る教室通信システムの概略的な構成を示す図であり、同図（Ａ）は教室１０を平面的に見て示す図、同図（Ｂ）は教室１０を右側面から見て示す図である。
【００１８】
図２は、前記教室通信システムにおける教室１０の各生徒用座席１１ａ，１１ｂ，…毎に設置される生徒端末１３の外観構成を示す図である。
【００１９】
図３は、前記教室通信システムの電子回路の構成を示すブロック図である。
【００２０】
図１に示すように、教室１０には、複数の生徒用座席（机含む）１１ａ，１１ｂ，…がそれぞれ縦横の定位置に配列され、その前方中央の定位置に教師用座席（机含む）１２が配置される。
【００２１】
各生徒用座席１１ａ，１１ｂ，…の机上にはそれぞれ生徒端末１３ａ，１３ｂ，…が設置され、また、教師用座席１２の机上には教師端末１４が設置される。
【００２２】
一方、教室１０の天井中央付近には、撮像装置１５、発光装置１６が設けられ、この撮像装置１５と発光装置１６は、サーバ装置１７を介して前記教師端末１４と接続される。
【００２３】
前記撮像装置１５は、前記各生徒用座席１１ａ，１１ｂ，…の配置位置を全て含むような撮像範囲Ｅを有し、例えば１００分の１秒毎に当該撮像範囲Ｅを連続的に撮像する。この撮像装置１５による撮像画像は、前記サーバ装置１７により取得される。
【００２４】
前記発光装置１６は、前記教師端末１４の操作に応じてサーバ装置１７から出力される出欠確認信号や出題信号に従い発光動作し、その発光信号（下り信号）Ｂを前記各生徒端末１３ａ，１３ｂ，…が設置された範囲Ｅに届くように出力する。
【００２５】
前記生徒端末１３は、図２に示すように、例えばノート型ＰＣ(Personal Computer)を用いて構成され、平面配置される本体１３Ｈにはキーボード２１が、当該本体１３Ｈの一端を支点にして開放される蓋体１３Ｆには表示部２２が設けられる。
【００２６】
そして、前記生徒端末１３の蓋体１３Ｆの開放側の端部側面１３Ｆｕ、つまり、当該端末１３の使用状態において教室１０の天井に対面する端部側面１３Ｆｕには、発光部２３および受光部２４が設けられる。
【００２７】
前記発光部２３は、前記本体１３Ｈの表面に設けた送信キー２５の操作等に応じて可視光にて発光動作するもので、この発光部１３からの発光信号（上り信号）Ｌの前記撮像範囲Ｅ内での発光位置およびその点滅状態は、前記撮像装置１５により連続的に撮像される撮像画像にて記録される。つまり、図１で示したように、教室１０内の各生徒１２ａ，１２ｂ，…それぞれの端末１３ａ，１３ｂ，…からの発光信号（上り信号）Ｌａ，Ｌｂ，…は、前記撮像装置１５による連続的な撮像画像を前記サーバ装置１７にて解析することで、何れの生徒端末１３ａ，１３ｂ，…からの上り信号Ｌａ，Ｌｂ，…であるか、またその内容が認識される。
【００２８】
前記サーバ装置１７は、ＣＰＵを備えたコンピュータにより構成され、前記各生徒用座席１１ａ，１１ｂ，…それぞれの位置を、前記撮像装置１５による撮像範囲Ｅの撮像画像上での座標位置（ｘ，ｙ）に対応付けて管理するための座標／座席管理テーブル１７ｐを記憶する。
【００２９】
前記生徒端末１３の受光部２４は、前記サーバ装置１７からの出欠確認信号や出題信号に従い発光動作する発光装置１６からの発光信号（下り信号）Ｂを受光するもので、生徒端末１３は当該受光部２４にて受光されたサーバ装置１７からの下り信号Ｂに応じて、出席確認のための生徒ＩＤの出力処理や出題内容の表示処理などを実行する。
【００３０】
図４は、前記教室通信システムの教師用端末１４にて記憶管理される名簿データ１４ｍの内容を示す図である。
【００３１】
教師端末１４は、例えばノート型ＰＣ(Personal Computer)を用いて構成され、名簿データ１４ｍとしては、前記教室１０に登録された各生徒１２ａ，１２ｂ，…それぞれのＩＤ番号と生徒名とが対応付けられて記憶管理される。
【００３２】
また、前記教師端末１４には、出題データ１４ｓが記憶管理される。この出題データ１４ｓとしては、前記生徒端末１３ａ，１３ｂ，…に対して送信すべき問題データと、当該問題の解答データが記憶管理される。
【００３３】
図５は、前記教室通信システムにおける生徒端末１３ａ，１３ｂからの具体的な発光信号（上り信号）Ｌａ，Ｌｂの出力状態とこれに対応した撮像装置１５での発光信号の撮像状態とを並べて見て示す図である。
【００３４】
図６は、前記教室システムにおいて生徒端末１３ａ，１３ｂから出力される発光信号（上り信号）Ｌａ，Ｌｂとしての送信データフォーマットを示す図である。
【００３５】
生徒端末１３ａ，１３ｂ，…の各発光部２３からの発光信号（上り信号）Ｌａ，Ｌｂは、例えば５０分の１秒周期の２値データ［“１”（点灯）“０”（消灯）］に変換されて出力され、そのデータフォーマットは、ヘッダ、端末ＩＤ、データ本体、トレーラ（終了報知）からなる。
【００３６】
そして、各生徒端末１３ａ，１３ｂ，…からの発光信号Ｌａ，Ｌｂは、撮像装置１５の撮像画像に捉えられて記録される。
【００３７】
このため、当該撮像画像上での座標位置（ｘ，ｙ）と各生徒端末１３ａ，１３ｂの座席１１ａ，１１ｂと対応付けた座標／座席管理テーブル１７ｐを前記サーバ装置１７にて記憶管理しておけば、何れの座席１３ａ，１３ｂ，…の生徒端末１３ａ，１３ｂ，…から発光信号（上り信号）が出力（送信）されたのかを時間的ロスなく直ちに認識できる。
【００３８】
図７は、前記教室通信システムにおける撮像装置１５での各生徒端末１３ａ，１３ｂからの発光信号（上り信号）Ｌａ，Ｌｂの連続撮像に応じた信号解析機能を説明する図であり、同図（Ａ）は各発光信号Ｌａ，Ｌｂの連続撮像状態を示す図、同図（Ｂ）は連続撮像された各画像からの発光信号Ｌａ，Ｌｂの解析状態を示す図である。
【００３９】
すなわち、前記図５、図６で示したように、各生徒端末１３ａ，１３ｂから５０分の１秒周期の“１”（発光）／“０”（消灯）データに変換されて出力（送信）される発光信号Ｌａ，Ｌｂの発光状態を、撮像装置１５において前記撮像範囲Ｅで例えば１００分の１秒毎に連続撮像する。そして、この連続撮像された撮像範囲Ｅの各画像t0,t1,…から、前記座標／座席管理テーブル１７ｐにて示される生徒用座席１１ａ，１１ｂに対応する座標位置（ｘ１，ｙ１）（ｘ２，ｙ２）での撮像内容（例えば白／黒状態）を解析することで、前記各発光信号Ｌａ，Ｌｂが示すヘッダ、端末ＩＤ、データ本体、トレーラ（終了報知）のデータを認識できる。
【００４０】
次に、前記構成による教室通信システムの動作について説明する。
【００４１】
図８は、前記教室通信システムにおける教師端末１４の処理を示すフローチャートである。
【００４２】
図９は、前記教室通信システムにおけるサーバ装置１７のデータ送信処理を示すフローチャートである。
【００４３】
図１０は、前記教室通信システムにおける生徒端末１３の処理を示すフローチャートである。
【００４４】
図１１は、前記教室通信システムにおけるサーバ装置１７のデータ受信処理を示すフローチャートである。
【００４５】
（出欠確認機能）
図１２は、前記教室通信システムにおける教師端末１４の出欠確認処理に伴い表示される出欠確認画面Ｇ１を示す図である。
【００４６】
先ず、この教室通信システムが起動されると、サーバ装置１７の制御により撮像装置１５の撮像動作が開始され、前記教室１０の撮像範囲Ｅを１００分の１秒毎に連続撮像した各撮像画像t0,t1,t2,…が当該サーバ装置１７に取得されて蓄積記憶される。
【００４７】
教師端末１４において、その端末操作に伴い出欠確認の入力がされたと判断されると（ステップＴ１（Ｙｅｓ））、サーバ装置１７に対して出欠確認信号の出力要求が送信される（ステップＴ２）。
【００４８】
サーバ装置１７において、前記教師端末１４から送信された出欠確認信号の出力要求が受信されたと判断されると（ステップＳ１（Ｙｅｓ））、当該出欠確認を促す所定の２値データ［“１”（点灯）“０”（消灯）］に変換された出欠確認信号が、発光装置１６からの発光信号（下り信号）Ｂとして出力される（ステップＳ２）。
【００４９】
生徒端末１３（１３ａ，１３ｂ，…）において、前記サーバ装置１７の制御により発光装置１６から出力された出欠確認信号としての発光信号（下り信号）Ｂが受光部２４に受光され、教師側から出欠確認されたと判断されると（ステップＰ１（Ｙｅｓ））、当該生徒端末１３（１３ａ，１３ｂ，…）のＩＤデータが２値データに変換され、発光部２３から可視光の発光信号（上り信号）Ｌ（Ｌａ，Ｌｂ，…）として出力される（ステップＰ２）。
【００５０】
前記サーバ装置１７では、撮像装置１５により１００分の１秒毎に連続撮像されている教室１０の撮像範囲Ｅの撮像画像t0,t1,t2,…（図７（Ａ）参照）が順次蓄積記憶されている（ステップＲ１）。
【００５１】
そして、前記蓄積記憶される各撮像画像t0,t1,t2,…から、前記座標／座席管理テーブル１７ｐにて示される生徒用座席１１ａ，１１ｂ，…にそれぞれ対応する座標位置（ｘ１，ｙ１）（ｘ２，ｙ２）…での撮像内容（例えば白／黒画像）が抽出され、２値データ［“１”（白）“０”（黒）］からなるデータ列（図７（Ｂ）参照）が生成される（ステップＲ２）。
【００５２】
すると、前記各座標位置（ｘ１，ｙ１）（ｘ２，ｙ２）…でのデータ列に基づき、そのそれぞれに所定のフォーマット（図５，図６参照）として含まれるＩＤデータが解析され（ステップＲ３）、各生徒用座席１１ａ，１１ｂ，…の位置データ（ｘ１，ｙ１）（ｘ２，ｙ２）…と共に前記解析されたＩＤデータが教師端末１４へ出力される（ステップＲ４）。
【００５３】
教師端末１４において、前記サーバ装置１７から出力されたＩＤデータが受信されると（ステップＴ３）、名簿データ１４ｍ（図３，図４参照）に基づき前記受信されたＩＤデータと当該ＩＤデータに対応する生徒名が照合される（ステップＴ４）。
【００５４】
すると、前記サーバ装置１７から取得される座標／座席管理テーブル１７ｐにて示された生徒用座席１１ａ，１１ｂ，…それぞれの位置データ（ｘ１，ｙ１）（ｘ２，ｙ２）…と、前記生徒端末１３ａ，１３ｂ，…からのＩＤデータに従い照合された生徒名とに基づき、図１２に示すように、ＩＤデータの受信された座席にはその生徒名を記述し、受信されない座席の生徒名は区別してなる、座席レイアウトに従った出欠確認画面Ｇ１が生成され、教師用端末１４の表示部１４Ｄに表示される（ステップＴ５）。
【００５５】
したがって、前記構成の教室通信システムにおける出欠確認機能によれば、各生徒端末１３ａ，１３ｂ，…からのＩＤデータを変換した可視光の発光信号（上り信号）による点滅状態を、撮像装置１５により連続的に撮像すると共に、この連続撮像された画像t0,t1,t2,…それぞれにおける各生徒用座席１１ａ，１１ｂ，…に対応した撮像位置（ｘ１，ｙ１）（ｘ２，ｙ２）…に基づき、当該各生徒用座席１１ａ，１１ｂ，…に対応した点滅画像のデータ列を生成して各生徒のＩＤデータを解析し、座席レイアウトに従った出欠確認画面Ｇ１として教師用端末１４に表示できる。
【００５６】
（問題回答機能）
図１３は、前記教室通信システムにおける生徒端末１３の出題処理に伴い表示される問題表示画面Ｇ２を示す図である。
【００５７】
図１４は、前記教室通信システムにおける教師端末１４の出題処理に伴い表示される回答結果表示画面Ｇ３を示す図である。
【００５８】
図１５は、前記教室通信システムにおける教師端末１４の出題処理に伴い切り換えられて表示される回答確認画面Ｇ４を示す図である。
【００５９】
教師端末１４において、その端末操作に伴い出題の入力がされたと判断されると（ステップＴ６（Ｙｅｓ））、出題データ１４ｓとして記憶管理されている問題データがサーバ装置１７へ出力される（ステップＴ７）。
【００６０】
サーバ装置１７において、前記教師端末１４から出力された問題データが受信され出題ありと判断されると（ステップＳ３（Ｙｅｓ））、当該問題データは２値データ［“１”（点灯）“０”（消灯）］に変換され、発光装置１６からの発光信号（下り信号）Ｂとして出力される（ステップＳ４）。
【００６１】
生徒端末１３（１３ａ，１３ｂ，…）において、前記サーバ装置１７の制御により発光装置１６から出力された問題データとしての発光信号（下り信号）Ｂが受光部２４に受光され、出題ありと判断されると（ステップＰ３（Ｙｅｓ））、前記受光された発光信号（下り信号）Ｂが問題データに変換され、例えば図１３に示すように、問題表示画面Ｇ２として表示部２２に表示される（ステップＰ４）。
【００６２】
この生徒端末１３（１３ａ，１３ｂ，…）での問題表示画面Ｇ２に従い、キーボード２１の操作に応じた回答が入力され、送信キー２５が操作されたと判断されると（ステップＰ５）、ＩＤデータと共に当該入力された回答データが所定のフォーマット（図５，図６参照）の２値データ［“１”（点灯）“０”（消灯）］に変換され、発光部２３からの発光信号（上り信号）Ｂとして出力される（ステップＰ６）。
【００６３】
前記サーバ装置１７では、前述した出欠確認機能での場合と同様に、撮像装置１５により１００分の１秒毎に連続撮像されている教室１０の撮像範囲Ｅの撮像画像t0,t1,t2,…（図７（Ａ）参照）が順次蓄積記憶されている（ステップＲ１）。
【００６４】
そして、前記蓄積記憶される各撮像画像t0,t1,t2,…から、前記座標／座席管理テーブル１７ｐにて示される生徒用座席１１ａ，１１ｂ，…にそれぞれ対応する座標位置（ｘ１，ｙ１）（ｘ２，ｙ２）…での撮像内容（例えば白／黒画像）が抽出され、２値データ［“１”（白）“０”（黒）］からなるデータ列（図７（Ｂ）参照）が生成される（ステップＲ２）。
【００６５】
すると、前記各座標位置（ｘ１，ｙ１）（ｘ２，ｙ２）…でのデータ列に基づき、そのそれぞれに所定のフォーマット（図５，図６参照）で含まれるＩＤデータおよび回答データが解析され（ステップＲ３）、各生徒用座席１１ａ，１１ｂ，…の位置データ（ｘ１，ｙ１）（ｘ２，ｙ２）…と共に、前記解析されたＩＤデータ、回答データ、およびその回答データが解析された最初の撮像画像の時間情報tｎが、何れも教師端末１４へ出力される（ステップＲ４）。
【００６６】
教師端末１４において、前記サーバ装置１７から出力された各生徒座席位置毎のＩＤデータ、回答データおよびその回答時間情報が受信されると（ステップＴ８）、前記受信されたＩＤデータ毎にその回答データが分析・集計される（ステップＴ９）。
【００６７】
そして、例えば図１４に示すように、各ＩＤおよび生徒名毎に回答データを対応付けて記述した回答結果表示画面Ｇ３が当該教師端末１４の表示部１４Ｄに表示される（ステップＴ１０）。
【００６８】
この場合、前記回答結果表示画面Ｇ３では、各回答結果の内容に応じて分析された分類情報「分類ｎ」が付加されると共に、当該分類情報「分類ｎ」が同じもの同士で分けられるグループ情報「グループｍ」も付加されて表示される。
【００６９】
なお、前記教室端末１４では、前記サーバ装置１７から受信された各生徒座席位置毎のＩＤデータ、回答データに基づき、前記図１４で示した回答結果表示画面Ｇ３と切り換えて、図１５に示すように、座席レイアウトに従った回答確認画面Ｇ４を生成表示させることもできる（ステップＴ５）。
【００７０】
（回答順表示機能）
図１６は、前記教室通信システムの教師端末１４においてサーバ装置１７から受信されたＩＤデータ毎の回答データおよび回答時間情報に基づき生成される回答先着順リストデータ１４Ｔを示す図である。
【００７１】
図１７は、前記教室通信システムの教師端末１４にて生成された回答先着順リストデータ１４Ｔに従い表示される回答先着順表示画面Ｇ５を示す図である。
【００７２】
教師端末１４において、前記サーバ装置１７から各生徒座席位置毎のＩＤデータ、回答データおよび回答時間情報が受信されると（ステップＴ８）、その回答時間情報に基づき、図１６に示すように当該回答時間情報をタイムスタンプとして早い順に各ＩＤデータと回答データとを対応付けた先着順リストデータ１４Ｔが生成記憶される。
【００７３】
そして、前記図１４で示した回答結果表示画面Ｇ３や前記図１５で示した回答確認画面Ｇ４と切り換えて、図１７に示すように、回答の早い順にその生徒名と回答、回答時間情報（タイムスタンプ）を対応付けてなる回答先着順表示画面Ｇ５を表示させることもできる。
【００７４】
したがって、前記構成の教室通信システムにおける問題回答機能および回答順表示機能によれば、教師端末１４からの出題に対する各生徒端末１３ａ，１３ｂ，…からのＩＤデータおよび回答データを変換した可視光の発光信号（上り信号）Ｌａ，Ｌｂ，…による点滅状態を、撮像装置１５により連続的に撮像すると共に、この連続撮像された画像t0,t1,t2,…それぞれにおける各生徒用座席１１ａ，１１ｂ，…に対応した撮像位置（ｘ１，ｙ１）（ｘ２，ｙ２）…に基づき、当該各生徒用座席１１ａ，１１ｂ，…に対応した点滅画像のデータ列を生成して各生徒のＩＤデータおよび回答データ、回答時間情報を解析し、その回答時間順の生徒名と回答とを対応付けた回答先着順表示画面Ｇ４を教師用端末１４に表示できる。このため、教師端末１４からの出題に対する各生徒端末１３ａ，１３ｂ，…からの回答内容を容易に確認できるだけでなく、何れの生徒端末１３ａ，１３ｂ，…からの回答が早かったかを正確に知ることが可能になる。
【００７５】
前記実施形態の教室通信システムにおける問題回答機能では、教師端末１４から出題される出題データ１４ｓとして、例えば図１３および図１４で示したように、理科の実験に関する記述式の問題を具体例に上げて説明したが、それ以外にも、語学学習に伴うスペルチェック問題、発音チェック問題、筆順チェック問題、その他の選択問題など、出題データ１４ａの内容が特に限定されることはない。
【００７６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００７７】
１０  …教室
１１ａ，１１ｂ，…生徒用座席（机含む）
１２  …教師用座席（机含む）
１３ａ，１３ｂ，…生徒端末
１３Ｈ…生徒端末本体
１３Ｆ…生徒端末蓋体
１４  …教師端末
１４ｍ…名簿データ
１４ｓ…出題データ
１４Ｄ…教師端末表示部
１４Ｔ…回答先着順リストデータ
１５  …撮像装置
１６  …発光装置
１７  …サーバ装置
１７ｐ…座標／座席管理テーブル
２１  …キーボード
２２  …表示部
２３  …発光部
２４  …受光部
２５  …送信キー
Ｌａ，Ｌｂ，…発光信号（上り信号）
Ｂ  …発光信号（下り信号）
Ｅ  …撮像範囲
Ｇ１…出欠確認画面
Ｇ２…問題表示画面
Ｇ３…回答結果表示画面
Ｇ４…回答確認画面
Ｇ５…回答先着順表示画面
【図１】
2010170216.tif 000003
【図２】
2010170216.tif 000004
【図３】
2010170216.tif 000005
【図４】
2010170216.tif 000006
【図５】
2010170216.tif 000007
【図６】
2010170216.tif 000008
【図７】
2010170216.tif 000009
【図８】
2010170216.tif 000010
【図９】
2010170216.tif 000011
【図１０】
2010170216.tif 000012
【図１１】
2010170216.tif 000013
【図１２】
2010170216.tif 000014
【図１３】
2010170216.tif 000015
【図１４】
2010170216.tif 000016
【図１５】
2010170216.tif 000017
【図１６】
2010170216.tif 000018
【図１７】
2010170216.tif 000019